(57)【要約】【課題】本発明は、ステータ巻線の外周面に、磁極巻線か出力巻線を網目状に巻付けることにより、ワニス処理をすることなく巻線時に発生した浮線の少なくとも固定を行うことを目的とする。【解決手段】本発明によるレゾルバステータ構造は、輪状ステータ(1)の突出磁極(2)に巻回されたステータ巻線(5)の励磁巻線(5a)又は出力巻線(5b)をステータ巻線(5)の外周面に網目状に巻付けることにより、浮線の固定を行う構成である。【選択図】図１
2010183736.tif 000002
【特許請求の範囲】
【請求項１】
輪状ステータ(1)の内周面(1a)又は外周面(1b)から内方又は外方へ向けて突出して形成された複数の突出磁極(2)と、前記各突出磁極(2)に対応する絶縁突出舌片(4)を有し全体形状が輪状をなす輪状絶縁カバー(3)と、前記各突出磁極(2)に前記各絶縁突出舌片(4)を介して巻付けられた励磁巻線(5a)及び出力巻線(5b)からなるステータ巻線(5)と、を備え、
前記ステータ巻線(5)の外周面には、前記励磁巻線(5a)又は出力巻線(5b)を網目状に巻回し、ワニスが設けられていないことを特徴とするレゾルバステータ構造。
【請求項２】
前記励磁巻線(5a)か出力巻線(5b)は、前記突出磁極(2)における突出長さ(L)全体にわたって前記網目状に配設されていることを特徴とする請求項１記載のレゾルバステータ構造。
【発明の詳細な説明】
【技術分野】
【０００１】
本発明は、レゾルバステータ構造に関し、特に、ステータ巻線の外周面の励磁巻線か出力巻線を網目状に巻付けることにより、ワニス処理をすることなく巻線時に発生した浮線の少なくとも固定を行うための新規な改良に関する。
【背景技術】
【０００２】
従来、用いられていたこの種のレゾルバステータ構造としては、例えば、後述の特許文献１に開示された構成と同様の構成を図３及び図４として示すことができる。
図３及び図４において、符号１で示されるものは、その内周面１ａから一体に内方へ突出する複数の突出磁極２を有する輪状ステータであり、この輪状ステータ１の両端面には、一対もしくは射出成形により一体に形成された輪状の輪状絶縁カバー３が設けられている。
【０００３】
前記輪状絶縁カバー３の内面側には、前記各突出磁極２に対応すると共に前記各突出磁極２の外周を覆うように絶縁突出舌片４が設けられている。
前記各突出磁極２には、前記輪状絶縁カバー３の各絶縁突出舌片４を介してステータ巻線５が巻付けられている。
【０００４】
前記ステータ巻線５は、励磁巻線５ａと出力巻線５ｂとからなり、前記ステータ巻線５の端線は、前記輪状絶縁カバー３の一部に一体に外方へ突出して形成された端子保持部６の複数の端子７に接続されている。
【０００５】
前述のように、各突出磁極２に巻付けられたステータ巻線５には、巻付け時に発生した浮線の固定、保護を行うために、巻付け完了後にポッテングによってワニス８が塗布され、このワニス８によってステータ巻線５が固化され、浮線の固定等が行われている。
【先行技術文献】
【特許文献】
【０００６】
【特許文献１】米国特許第６，７５０，５７７号明細書
【発明の概要】
【発明が解決しようとする課題】
【０００７】
従来のレゾルバステータ構造は、以上のように構成されていたため、次のような課題が存在していた。
すなわち、各突出磁極２に巻付けられたステータ巻線５の一部は、レゾルバの巻線工程中に浮線（図示せず）となり、この浮線が振動等により断線となり、レゾルバの機能が低下もしくは不能となることがあるため、この浮線を固定するためにワニス処理を行っていた。
また、このステータ巻線は、突出磁極への巻き方によっては、その外周面になるマグネットワイヤが、励磁巻線、出力巻線（１相出力又は２相出力）の何れかとなるが、この外周面となる巻線にワニスを塗布する場合、ワニス塗布後に、外観を肉眼で確認し、浮線が存在した場合には、この浮線を手直し作業で埋め込まなくてはならず、この作業には、多大の熟練を要し、コスト上も多大の負担となっていた。
また、ワニスをステータ巻線の外周に塗布する場合には、ワニスを塗布する設備及び乾燥する設備を必要とし、その設備投資額は多大のものであり、レゾルバのコストダウン及び量産化には大きい障害となっていた。
【課題を解決するための手段】
【０００８】
本発明によるレゾルバステータ構造は、輪状ステータの内周面又は外周面から内方又は外方へ向けて突出して形成された複数の突出磁極と、前記各突出磁極に対応する絶縁突出舌片を有し全体形状が輪状をなす輪状絶縁カバーと、前記各突出磁極に前記各絶縁突出舌片を介して巻付けられた励磁巻線及び出力巻線からなるステータ巻線と、を備え、前記ステータ巻線の外周面には、前記励磁巻線又は出力巻線を網目状に巻回し、ワニスが設けられていない構成であり、また、前記励磁巻線か出力巻線は、前記突出磁極における突出長さ全体にわたって前記網目状に配設されている構成である。
【発明の効果】
【０００９】
本発明によるレゾルバステータ構造は、以上のように構成されているため、次のような効果を得ることができる。
すなわち、輪状ステータの内周面又は外周面から内方又は外方へ向けて突出して形成された複数の突出磁極と、前記各突出磁極に対応する絶縁突出舌片を有し全体形状が輪状をなす輪状絶縁カバーと、前記各突出磁極に前記各絶縁突出舌片を介して巻付けられた励磁巻線及び出力巻線からなるステータ巻線と、を備え、前記ステータ巻線の外周面には、前記励磁巻線又は出力巻線を網目状に巻回し、ワニスが設けられていないことにより、ワニスを用いることなく浮線の固定等を行うことができる。
前記励磁巻線か出力巻線は、前記突出磁極における突出長さ全体にわたって前記網目状に配設されていることにより、巻線中に発生した浮線を完全に固定することができ、浮線の防止及び保護を得ることができる。
【図面の簡単な説明】
【００１０】
【図１】本発明によるレゾルバステータ構造を示す平面図である。
【図２】図１の断面図である。
【図３】従来構成の平面図である。
【図４】図３の断面図である。
【発明を実施するための形態】
【００１１】
本発明は、ステータ巻線の外周面に、励磁巻線か出力巻線を網目状に巻付けることにより、ワニス処理をすることなく巻線時に発生した浮線の少なくとも固定を行うようにしたレゾルバステータ構造を提供することを目的とする。
【実施例】
【００１２】
以下、図面と共に本発明によるレゾルバステータ構造の好適な実施の形態について説明する。
尚、図３及び図４と同一又は同等部分については、同一符号を用いて説明する。
図１及び図２において、符号１で示されるものは、その内周面１ａから一体に内方へ突出する複数の突出磁極２を有する輪状ステータであり、この輪状ステータ１の両端面には、予め成形された一対もしくは射出成形により一体にインサート成形で形成された輪状の輪状絶縁カバー３が設けられている。
【００１３】
前記輪状絶縁カバー３の内面側には、前記各突出磁極２に対応すると共に前記各突出磁極２の外周を覆うように絶縁突出舌片４が設けられている。
前記各突出磁極２には、前記輪状絶縁カバー３の各絶縁突出舌片４を介してステータ巻線５が巻付けられている。
【００１４】
前記ステータ巻線５は、励磁巻線５ａと第１、第２相コイルからなる出力巻線５ｂとからなり、前記ステータ巻線５の端線１０ａは、最終的には、前記輪状絶縁カバー３の一部に一体に外方へ突出して形成された端子保持部６の複数の端子７に接続されている。
尚、このステータ巻線５は励磁巻線５ａと出力巻線５ｂとからなるため、突出磁極２に巻回する順序により、ステータ巻線５の外周には、前記各巻線５ａ又は５ｂの何れかが位置することになるが、通常は、出力巻線５ｂの第１、第２相コイルの何れかの最終線１０を図１の網目状としてステータ巻線５の外周面に巻付け、この最終線１０の最後が端線１０ａとして端子７に巻付けられている。
【００１５】
前述のように、各突出磁極２に巻付けられたステータ巻線５の外周には、巻付け時に発生するステータ巻線５の浮線の少なくとも固定、さらには保護を従来用いていたワニス塗布を用いるのではなく、前記ステータ巻線５の外周の励磁巻線５ａ又は出力巻線５ｂの突出磁極２への巻付け方を図１のように網目状に巻付けることにより達成している。
尚、この網目状に巻付ける最終線１０の部分は前述のように、各突出磁極２に巻付けるステータ巻線５の励磁巻線５ａ又は出力巻線５ｂの何れかの最終の最終線１０を用いており、各突出磁極２に巻付けられるステータ巻線５の所定の必要とする巻数はこの網目状の最終線１０の巻数も含まれている。
すなわち、各突出磁極２に巻かれるステータ巻線５の総ターン数は、この網目状の最終線１０のターン数を含んでいる。従って、この最終線１０は不要なダミー線ではない。この網目状に巻回される最終線１０の巻数は、種々実験の結果、１０〜１００ターン数が好適であった。
【００１６】
前記最終線１０は、前記励磁巻線５ａ又は出力巻線５ｂと同じマグネットワイヤであり、ステータ巻線５の外周面に対して、それまで巻線を行った自動巻線機（図示せず）によって連続動作で網目状に自動巻付けを行うことができる。
【００１７】
尚、前記ステータ巻線５の各巻線５ａ又は５ｂの巻き方によっては、突出磁極２の突出長さＬに沿って区切られた状態となることもあるが、何れの場合もステータ巻線５の一部のみに巻付けた構成でも浮線防止（すなわち、固定）に効果があるが、前述のようにステータ巻線５の外周面全体、すなわち、前記突出長さＬ全体に最終線１０が網目状に巻付けられた構成が浮線の防止、固定に最も効果的である。
尚、前述の形態では、インナロータ型のステータ構造について述べたが、前記輪状ステータ１の外周面１ｂに各突出磁極２を外方へ向けて突出させて構成した周知のアウタロータ型（図示せず）に対しても本発明が適用できうることは述べるまでもないことである。
【産業上の利用可能性】
【００１８】
本発明には、レゾルバステータに適用するだけではなく、同期モータ等にも適用可能である。
【符号の説明】
【００１９】
１    輪状ステータ
１ａ    内周面
１ｂ    外周面
２    突出磁極
５    ステータ巻線
５ａ    励磁巻線
５ｂ    出力巻線
６    端子保持部
７    端子
１０    最終線
【図１】
2010183736.tif 000003
【図２】
2010183736.tif 000004
【図３】
2010183736.tif 000005
【図４】
2010183736.tif 000006